(57)【要約】【課題】  腕の両側部を締め付けることがなく、腕の両側部に赤く跡がつくことがなくなる腕時計用バンドを提供する。【解決手段】伸縮部材で形成された第１及び第２のバンド部と、この第１及び第２のバンド部を連結する非伸縮部材で形成された連結部を有し、この連結部に設けられた長さ調節手段により腕時計用バンドの全体の長さを調節する。【選択図】    図１
2006346086.tif 000002
【特許請求の範囲】
【請求項１】
腕時計ケース（３）の一端側に一端部が取り付けられる第１のバンド部（５）と前記腕時計ケースの他端側に一端部が取り付けられる第２のバンド部（６）と前記第１及び第２のバンド部（５、６）の他端部同士を連結する連結部（８、９）とを有する腕時計用バンドにおいて、
前記第１及び第２のバンド部（５、６）は伸縮部材で形成され、
前記連結部（８、９）は非伸縮部材で形成され、かつ、前記連結部には腕時計用バンドの全体の長さを調節する長さ調節手段が設けられていることを特徴とする腕時計用バンド。
【請求項２】
請求項１において、
前記第１及び第２のバンド部（５、６）は貫通孔（１３１）が形成されたコマ（１３）と前記コマの貫通孔に挿通され前記コマを複数個連結する糸状の弾性繊維（１５）より形成されていることを特徴とする腕時計用バンド。
【請求項３】
請求項１において、
前記連結部（８、９）は前記第１のバンド部（５）の他端部に連結された第１の連結部（８）と前記第２のバンド部（６）の他端部に連結された第２の連結部（９）よりなり、前記長さ調節手段は前記第１の連結部（８）の長手方向に沿って形成された複数の孔（８１）と、前記第２の連結部（９）に設けられ前記複数の孔のいずれかに係合させるための係合ピン（９４）よりなることを特徴とする腕時計用バンド。
【請求項４】
請求項１において、
前記第１及び第２のバンド部（５、６）の内の一方は他方よりも短く形成されていることを特徴とする腕時計用バンド。
【請求項５】
請求項２において、
前記コマ（１３）は長方体、球体、円柱体、半球体、半円柱体などの形状であることを特徴とする腕時計用バンド。
【請求項６】
請求項２又は５において、
前記コマ（１３）はアレルギーを生じさせない材質であるトルマリン石、貴石、貴金属、象牙より形成されることを特徴とする腕時計用バンド。
【発明の詳細な説明】
【技術分野】
【０００１】
本発明は、腕時計用バンドに関する。
【背景技術】
【０００２】
腕時計用バンドは、一般的には、金属製、皮革製、合成樹脂製などが使われている。金属製のバンドは、金属製のコマをピンやバネなどを用いて連結した構成と成っている。また、皮革製バンドは、動物の皮を使ったものである。さらにまた、合成樹脂製は、合成樹脂で皮革などに似せて作ったものである。
これらの腕時計用バンドの端を時計ケースにバネ棒で取り付けて使用している。
【特許文献１】特許第２８１９３９９号
【特許文献２】実公平７−４１３６７号
【特許文献３】実用新案登録第３０３８２５３号
【発明の開示】
【発明が解決しようとする課題】
【０００３】
解決しようとする問題点は、上述したような各種バンドでは、腕時計を長時間装着していると、腕の両側部（腕の親指側の側部及び小指側の側部）に赤く跡がつくという問題があった。これは、腕の両側部分をバンドが締め付けることが原因と考えられる。
【０００４】
また、同一出願人による出願、
【特許文献４】特開２００５−４０３７５号（特願２００３−２７８０８８号）においては、トルマリン石等のアレルギーを生じさせない材料で形成されたコマを糸状の弾性繊維で数珠状に連結した腕時計用バンドを提案しているが、このように全周が伸縮部材で形成された腕時計用バンドにおいても、腕の全周を軽く締め付ける状態となるため、腕の周囲にバンドによる赤い跡がつくことは避けられなかった。
【課題を解決するための手段】
【０００５】
本発明の腕時計用バンドは、伸縮部材で形成された第１及び第２のバンド部と、この第１及び第２のバンド部を連結する非伸縮部材で形成された連結部を有し、この連結部に設けられた長さ調節手段により腕時計用バンドの全体の長さを調節する。
【発明の効果】
【０００６】
本発明の腕時計用バンドによると、腕時計用バンドの全体の長さを連結部により調節できるので、腕に適した長さの腕時計用バンドとして腕時計を腕に装着できる。しかも腕の両側部に位置づけられる第１及び第２のバンド部は伸縮部材で形成されており、腕の両側部を締め付けることがないので、腕の両側部に赤く跡がつくことがなくなる。
【０００７】
また、第１及び第２のバンド部を貫通孔が形成されたコマとこのコマの貫通孔に挿通され前記コマを複数個連結する糸状の弾性繊維で形成すると、第１及び第２のバンド部の伸縮性は非常に良好となり、本発明の効果をさらに増大させる。
【０００８】
また、連結部を第１のバンド部に連結された第１の連結部と第２のバンド部に連結された第２の連結部とで構成し、第１の連結部の長手方向に沿って形成された複数の孔のいずれかに第２の連結部に設けられ係合ピンを係合させるようにすれば、腕時計を装着しながらの長さ調節が可能となるので、腕時計の装着性は良好となる。
【０００９】
また、第１及び第２のバンド部の内の一方を他方よりも短く形成し、腕時計用バンドを用いて腕時計を腕の甲側に装着した際に、親指側の側部に位置するバンド部を腕の子指側の側部に位置するバンド部よりも短くすると、腕の形状とバンド部の長さとが適合するので、腕時計の装着性は良好となる。
尚、腕時計を腕の手の平側に装着する場合であっても、親指側の側部に位置するバンド部を腕の子指側の側部に位置するバンド部よりも短くすると良い。
【００１０】
また、バンド部を構成するコマはアレルギーを生じさせない材質であるトルマリン石、貴石、貴金属、象牙より形成するならば、アレルギー疾患のある人には、材質選定による問題がなくなる。また、腕時計のバンドにファッション性を持たせることができる。
【発明を実施するための最良の形態】
【００１１】
本発明者は、従来技術とその問題点を詳細に検討した結果、以下の経緯により本発明を完成するに至った。
【実施例１】
【００１２】
＜腕時計用バンド１＞
【００１３】
図１は、本発明による腕時計用バンド１を示す平面図である。
腕時計用バンド１は、腕時計ケース３の一端側に一端部が取り付けられる第１のバンド部５と前記腕時計ケースの他端側に一端部が取り付けられる第２のバンド部６と第１及び第２のバンド部５、６の他端部同士を連結する連結部とで構成され、本例において、連結部は、第１のバンド部５の他端部に連結された第１の連結部８と前記第２のバンド部６の他端部に連結された第２の連結部９より構成されている。
【００１４】
第１、第２のバンド部５、６は、２つの貫通孔１３１が形成された略長方体形のコマ１３を図１のように配置し、それらの貫通孔１３１に糸状の弾性繊維１５（後述）を挿通して、該繊維の端を結ぶことにより形成される。
本例では、第1のバンド部5は、４個のコマ１３を弾性繊維１５で連結して構成されており、４個並べられたコマ１３の一端側には取付具１７（後述）が配置され、他端側には第１の連結部８が配置され、第１の連結部８の基部８a及びコマ１３の貫通孔１３１に挿通された弾性繊維１５が取付具１７の孔１７４、１７５（後述）に通されて取付具１７の開口部１７３で結ぶ（図示せず）などして、前記４個のコマ１３と取付具１７及び連結部８を一体化している。
【００１５】
また、第２のバンド部６は、５個のコマ１３を弾性繊維１５で連結して構成されており、５個並べられたコマ１３の一端側には取付具１７が配置され、他端側には第２の連結部９が配置され、第２の連結部９の基部９a及びコマ１３の貫通孔１３１に挿通された弾性繊維１５が取付具１７の孔１７４、１７５に通されて取付具１７の開口部１７３で結ぶ（図示せず）などして、前記５個のコマ１３と取付具１７及び第２の連結部９を一体化している。
【００１６】
本例の腕時計用バンド１では、腕時計を腕の甲側に装着した際に、第1のバンド部5が腕の親指側の側部に位置し、第２のバンド部６が腕の子指側の側部に位置することを想定しており、第1のバンド部5を４個のコマ１３で構成し、第２のバンド部６を、５個のコマ１３で構成している。このように親指側の側部に位置するバンド部を腕の子指側の側部に位置するバンド部よりも短くすると、腕の形状とバンド部の長さとが適合するので、腕時計の装着性は良好となる。
前記糸状の弾性繊維１５は、ゴムのように弾力性を持っているため、腕時計を装着している腕を動かしても、腕の筋肉の微妙な変化に容易に対応できるようになっている。
【００１７】
第1、第２のバンド部5、６は、夫々に連結された取付具１７の貫通孔１７１にバネ棒２０が挿通され、バネ棒２０を介して腕時計ケース３の両端に取り付けられる。
＜トルマリン石＞
【００１８】
略長方体形のコマ１３は、トルマリン石で作る。
その効能については、各種の文献で発表されている。人の肌にふれても、アレルギー症状を呈さない利点がある。
トルマリン石は、電気を発生させることから、電気石とも呼称され、常温においてマイナスイオン、中間赤外線あるいは微弱電流を発生するなどである（実用新案登録公報３０８７２２９号）。
【特許文献５】実用新案登録第３０８７２２９号他にも、トルマリンの効能並びにその応用については、実用新案登録３０２８７３８号、同３０３６６７７号、同３０８６０３３号に述べられている。
【特許文献６】実用新案登録第３０２８７３８号
【特許文献７】実用新案登録第３０３６６７７号
【特許文献８】実用新案登録第３０８６０３３号＜糸状の弾性繊維１５＞
【００１９】
糸状の弾性繊維１５は、ポリウレタンでできており、伸縮性、耐久性、均一性などにすぐれた特徴を持っている。
本発明では、既述したように、略長方体形のコマ１３に１本の糸状の弾性繊維１５を通して第1、第２のバンド部5、６を完成したものである。
＜取付具１７＞
【００２０】
前記取付具１７を図２に示した。同図（ａ）は表側であり、同図（ｂ）は裏側である。
材質としては、トルマリン石を使用してもよいし、貴石、貴金属、象牙などを使用することも可能である。
腕時計ケース３に嵌るために、バネ棒２０が貫通する孔１７１をつくる。その際、窪１７２を形成して、バネ棒２０の取り外しなどを容易にする。
さらに、糸状の前記弾性繊維１５が通る孔を図２（ａ）、（ｂ）のようにコの
字状に空ける。
まず、開口部１７３を切削加工してほぼ中ほどまで作る（同図［ｂ］）。つぎに、９０度の別の方向から孔１７４，１７５が前記開口部１７３と交わるまで切削する。該孔１７４，１７５と開口部１７３の形成順序は逆でもよい。
【００２１】
なお、点線で示した孔１７６の部分（コの字の「−」の部分）は、前記糸状の弾性繊維１５の通り道を示したもので、前記開口部１７３がその用を成すもので、実際には存在しないものである。
前記糸状の弾性繊維１５を取付具１７に通すためには、荷札などに使用する細い針金でガイドすると簡単に該繊維を導くことができる。その際、前記開口部１７３には、前記糸状の弾性繊維１５を取付具１７の孔に通す際の前記針金の誘導作業をしやすくするため、開放口１７８を設けてある。
＜コマ１３＞
【００２２】
図３は、第1及び第２のバンド部5、６を構成するコマ１３を示したものである。
略長方体形のコマ１３には２つの貫通孔１３１が形成されており、この孔１３１に前記糸状の弾性繊維１５を挿通する。
＜時計ケース１１＞
【００２３】
図４に示すように、第1及び第２のバンド部5、６は、その端に取付具１７を有していて、バネ棒２０を取付具１７の貫通孔１７１に通すことによって、バネ棒２０を介して時計２のケース３に固定される。同図には、第1のバンド部5の一部と糸状の弾性繊維１５を挿通した略長方体形のコマ３を示している。
【００２４】
図５は、前記時計２並に前記ケース３を裏側から見たものである。
前記ケース３に前記取付具１７を保持するための保持部分３１、３２を設けて、表側からは、該取付具１７が保持部分３１、３２に隠されて、該取付具１７を見えにくくする。バネ棒２０は、窪み３５、３６、３７、３８（反対側は図示せず）に固定される。その際、窪み３５、３６は、微調整のためのものである。
図１に示すように、第1及び第２のバンド部5、６を取付具１７を介して時計ケース３に取り付けた状態では、取付具１７は一点鎖線で示した時計ケース３で覆われた状態となり、腕時計バンド１が表から見えるのは、第1、第２のバンド部5、６及び第１、第２の連結部８、９だけである。
＜第１の連結部８、第２の連結部９＞
【００２５】
図１に示すように、第１の連結部８は皮革製または合成樹脂製の材料で帯状に形成されており、貫通孔が形成されてた基部８a側に前記弾性繊維１５が挿通されて第1のバンド部5の他端部と連結されている。また、第１の連結部８には複数の孔８１が長手方向に沿って形成されている。
【００２６】
第２の連結部９は皮革製または合成樹脂製の材料で帯状に形成された帯状部９１の基部９a側に貫通孔が形成されており、この貫通孔に前記弾性繊維１５が挿通されて第２のバンド部６の他端部と連結されている。また、帯状部９１の先端部９bには環状の支持枠９２の一辺９２１が取り付けられており、この一辺９２１に係合ピン９４の基部が回動自在に保持されている。また、帯状部９１の中途には前記第１の連結部８を挿入するためのベルト９６が設けられている。
第１の連結部８及び第２の連結部９は、第１の連結部８を環状の支持枠９２に挿通し、所望の孔８１に係合ピン９４が係合させることにより連結される。
また、複数の孔８１の内、係合ピン９４を係合させる孔８１を選ぶことにより、腕時計用バンド１の長さを調節できる。
【実施例２】
【００２７】
図７(a)に示すように、略長方体形のコマ５１には２本の貫通孔５１１を形成し、また、図７(b)に示すように、球体状のコマ５３には１本の貫通孔５３１を形成し、それらのコマ５１とコマ５３を図６に示すように配置し、貫通孔５１１、５３１に糸状の弾性繊維１５を挿通して、該繊維の端を結ぶことにより第1及び第２のバンド部5、６を形成することもできる。
その余の事項は、実施例１と同じ。
【実施例３】
【００２８】
実施例１、２では、略長方体、球体などのコマ１３，５１、５３並びに取付具１７をトルマリン石で作成する例を示した。しかし、固体であれば、どのようなものでも加工可能であり、腕時計バンドとして利用できる。
その余の事項は、実施例１、２と同じ。
【実施例４】
【００２９】
実施例１、２では、略長方体のコマ１３、５１又は球体状のコマ５３でバンド状を形成した例について示したが、その他の形状（例、半円柱体、円柱体、半球体など）のものでもバンド状にして行うことができ、腕時計バンドとして利用できる。
その余の事項は、実施例１、２と同じ。
【実施例５】
【００３０】
実施例１、２では既存の腕時計２並びにケース３を念頭において、取付具１７を説明したが、図８に示すように、腕時計ケースとして両端に一対の孔部３１１、３１２を形成した腕時計ケース３Ａを用いるならば、第1及び第２のバンド部5、６の弾性繊維１５の両端を孔部３１１、３１２に挿通して連結することにより、第1及び第２のバンド部5、６を腕時計ケース３Ａの両側に取り付けることができるので、取付具１７を用いる必要がなくなる。
【実施例６】
【００３１】
実施例１、２では、連結部は、第１のバンド部５の他端部に連結された第１の連結部８と第２のバンド部６の他端部に連結された第２の連結部９より構成され、第１の連結部８と第２の連結部９とを連結する例を説明したが、長さ調節が可能な連結部であるならば、第１の連結部と第２の連結部とが一体化されているタイプのものであっても、本願発明に用いることができる。
【図面の簡単な説明】
【００３２】
【図１】本発明の腕時計用バンドを示す平面図である。
【図２】本発明の腕時計用バンドに係る第１及び第２のバンド部を腕時計に取り付ける取付具を示した斜視図である。（ａ）は表側であり、（ｂ）裏側である。
【図３】第１及び第２のバンド部を構成するコマに孔を空けた状態を示した斜視図である。
【図４】本発明の腕時計用バンドを腕時計に取り付ける各種部品の配置を示した斜視図である。
【図５】本発明の腕時計用バンドを用いる腕時計ケースの裏側を示した斜視図である。
【図６】本発明の他のバンド部を示した部分平面図である。
【図７】図６に用いられるコマをしめした斜視図である。（ａ）は略直方体のコマであり、（ｂ）球状体のコマである。
【図８】他の腕時計ケースを裏側から示した斜視図である。
【符号の説明】
【００３３】
１  腕時計用バンド
３  腕時計ケース
５  第１のバンド部
６  第２のバンド部
８  第１の連結部
８１  孔
９  第２の連結部
９４  係合ピン
１３  コマ
１３１  貫通孔
１５  糸状の弾性繊維
【図１】
2006346086.tif 000003
【図２】
2006346086.tif 000004
【図３】
2006346086.tif 000005
【図４】
2006346086.tif 000006
【図５】
2006346086.tif 000007
【図６】
2006346086.tif 000008
【図７】
2006346086.tif 000009
【図８】
2006346086.tif 000010